(57)【要約】      （修正有）【課題】薪材の燃焼による熱エネルギを、暖房用に加えて、発電及び給湯にも有効利用することが可能な、燃焼効率の高いコージェネ型薪ストーブを提供する。【解決手段】高温部と低温部との間の温度差に基づいて起電力を発生する熱電素子にて構成される熱発電ユニット１４を鋳鉄鋳物製のストーブ本体１２に取り付けて、かかる高温部が薪材の燃焼によって生じる燃焼熱にて加熱せしめられるようにして、熱発電ユニット１４において生じた起電力が取り出されるように構成する。そのような熱発電ユニット１４の熱電素子における低温部に冷却室３４を設け、そこに形成した冷却水の流入口３６と流出口３８を冷却水循環システム４０に接続せしめて、冷却水循環システム４０を通じて、冷却水が冷却室３４内を循環されるようにすることによって、かかる冷却水の温度を上昇せしめ、所定温度の温水が形成されるように構成する。【選択図】図１
0003190969.tif 000002
【実用新案登録請求の範囲】
【請求項１】
高温部と低温部との間の温度差に基づいて起電力を発生する熱電素子にて構成される熱発電ユニットを鋳鉄鋳物製のストーブ本体に取り付けて、かかる高温部が該ストーブ本体の燃焼室内での薪材の燃焼によって生じる燃焼熱にて加熱せしめられるようにして、該熱発電ユニットにおいて生じた起電力が取り出されるように構成すると共に、
該熱発電ユニットの前記熱電素子における低温部を冷却水にて冷却せしめる冷却室を設け、更に該冷却室に形成した冷却水の流入口と流出口を冷却水循環システムに接続せしめて、該冷却水循環システムを通じて、冷却水が該冷却室内を循環されられるようにすることによって、かかる冷却水の温度を上昇せしめ、所定温度の温水が形成されるように構成したことを特徴とするコージェネ型薪ストーブ。
【請求項２】
前記熱発電ユニットの複数が前記ストーブ本体の所定部位にそれぞれ取り付けられると共に、それら熱発電ユニットに設けられた前記冷却室が、前記冷却水循環システムに対して直列に接続されて、冷却水がそれら熱発電ユニットのそれぞれの冷却室に順次流通せしめられるように構成して、冷却水の温度が上昇させられ得るようになっている請求項１に記載のコージェネ型薪ストーブ。
【請求項３】
前記熱発電ユニットにおいて発生した起電力を蓄電する蓄電装置が装備され、かかる蓄電装置から外部に所定電圧の電力が供給されるようになっている請求項１又は請求項２に記載のコージェネ型薪ストーブ。
【請求項４】
前記冷却水循環システムが、冷却水循環ポンプを備え、該冷却水循環ポンプが前記熱発電ユニットにおいて発生せしめられる起電力にて駆動されるようになっている請求項１乃至請求項３の何れか１項に記載のコージェネ型薪ストーブ。
【請求項５】
前記冷却水循環システムが、冷却水の循環流路上に貯水タンクを備え、前記冷却室への循環によって温められた冷却水が該貯水タンクに収容されるようになっている一方、該貯水タンクから温水を取り出し得る取出手段が設けられている請求項１乃至請求項４の何れか１項に記載のコージェネ型薪ストーブ。
【請求項６】
前記熱発電ユニットの前記熱電素子における高温部に対して、前記ストーブ本体内に露呈されて、前記薪材の燃焼熱に晒される複数のフィンを一体的に有する吸熱部材が取り付けられている請求項１乃至請求項５の何れか１項に記載のコージェネ型薪ストーブ。
【請求項７】
前記熱発電ユニットが、前記ストーブ本体の天井部の所定部位に少なくとも配設されている請求項１乃至請求項６の何れか１項に記載のコージェネ型薪ストーブ。
【請求項８】
前記熱発電ユニットが、前記ストーブ本体内に設けられた未燃焼ガスの燃焼触媒の上方に位置する天井部位に少なくとも配設されている請求項１乃至請求項７の何れか１項に記載のコージェネ型薪ストーブ。
【請求項９】
前記熱発電ユニットが、前記ストーブ本体に設けられた燃焼ガス排出用の煙突に対して、更に配設されている請求項１乃至請求項８の何れか１項に記載のコージェネ型薪ストーブ。
【考案の詳細な説明】
【技術分野】
【０００１】
本考案は、コージェネ型薪ストーブに係り、特に、薪材の燃焼による熱エネルギを、暖房用としてのみならず、発電及び給湯にも有効利用することが出来るコージェネ型薪ストーブに関するものである。
【背景技術】
【０００２】
古くから、各家庭や店舗等においては、暖房装置の一つとして、森林の間伐材等から得られる薪材等を燃料として用いて、その燃焼によって暖房を行なう薪ストーブが、用いられてきている。この薪ストーブの燃料となる薪材は、化石燃料に代わる木質バイオマスの一つであり、また化石燃料等とは異なり、再生産が可能な資源であるところから、それを活用することは、大量生産・大量消費型の生活様式を見直し、資源の循環的且つ効率的な利用を進め、環境に対する負荷の小さな経済社会を築いていくために重要な役割を担うものであると考えられ、今日、薪ストーブの価値が、改めて見直されている。
【０００３】
ところで、薪ストーブとしては、従来から、例えば、特開２００７−２８５６６０号公報（特許文献１）にも指摘されているように、白金触媒の如き燃焼触媒を用いたり、内部構造に工夫を加えたりして、その燃焼効率を高めるべく、各種の構造のものが提案されてきているのであるが、未だ充分な燃焼効率が得られていないのが現状である。このような状況の一因として、薪ストーブにおいては、その構造上、薪材の燃焼によって生じた熱エネルギが、煙突を通じて屋外に排出されてしまうことが挙げられる。
【０００４】
一方、そのような薪ストーブは、電力が供給されなくても使用可能である点からも、注目度が高まっており、例えば、特開２０１３−１９０１９５号公報（特許文献２）においては、木質ペレット（薪でも可）を燃焼材料とする燃焼装置［ペレット（薪）ストーブ］であって、かかる燃焼材料の燃焼室内での燃焼に伴なって生じる燃焼温度により加熱すると共に、燃焼室の外部温度で冷却することにより発生する温度差に基づき発電を行なう熱発電モジュールを有するものが、明らかにされている。そして、これによって得られる熱発電力を、ペレット供給装置等の電動駆動手段を駆動するための電力として利用することで、化石燃料等を燃焼して作り出される商用電源を用いることなく、燃焼装置を稼動することが可能になるとされている。
【０００５】
しかしながら、そのような構造を有する薪ストーブにあっては、熱発電モジュールの冷却が、燃焼室の外部温度により行なわれる、所謂空冷構造であるところから、充分な冷却効果が得られず、熱発電モジュールにおいて温度差を大きくすることが困難となり、そのために発電される電力が小さくなってしまう恐れがある。なお、かかる冷却効果を高めるための手法として、放熱フィンに加えてヒートパイプを用いることが明らかにされているが、新たな部品を追加することにより、装置全体のコストが高騰してしまうという新たな問題を惹起することとなる。また、熱発電モジュールを用いた発電機構のみでは、薪ストーブにおいて、充分に高い燃焼効率を得ることは困難であったのである。
【０００６】
このように、従来から提案され、また市販されている各種の薪ストーブに対しては、より一層の性能（燃焼効率）の向上が望まれているのであり、更に、災害時等において、電力やガス等の供給が停止してしまった場合でも使用可能な機器として、暖房機能のみに止まらない多機能化が要求されているのである。
【先行技術文献】
【特許文献】
【０００７】
【特許文献１】特開２００７−２８５６６０号公報
【特許文献２】特開２０１３−１９０１９５号公報
【考案の概要】
【考案が解決しようとする課題】
【０００８】
ここにおいて、本考案は、かかる事情を背景にして為されたものであって、その解決課題とするところは、薪材の燃焼による熱エネルギを、暖房用に加えて、発電及び給湯にも有効利用することが可能な、燃焼効率の高いコージェネ型薪ストーブを提供することにある。
【課題を解決するための手段】
【０００９】
そして、本考案は、上記した課題又は明細書全体の記載や図面から把握される課題を解決するために、以下に列挙せる如き各種の態様において、好適に実施され得るものであるが、また以下に記載の各態様は、任意の組み合わせにおいても、採用可能である。なお、本考案の態様乃至は技術的特徴は、以下に記載のものに何等限定されることなく、明細書全体の記載並びに図面に開示の技術思想に基づいて認識され得るものであることが、理解されるべきである。
【００１０】
（１）  高温部と低温部との間の温度差に基づいて起電力を発生する熱電素子にて構成される熱発電ユニットを鋳鉄鋳物製のストーブ本体に取り付けて、かかる高温部が該ストーブ本体の燃焼室内での薪材の燃焼によって生じる燃焼熱にて加熱せしめられるようにして、該熱発電ユニットにおいて生じた起電力が取り出されるように構成すると共に、該熱発電ユニットの前記熱電素子における低温部を冷却水にて冷却せしめる冷却室を設け、更に該冷却室に形成した冷却水の流入口と流出口を冷却水循環システムに接続せしめて、該冷却水循環システムを通じて、冷却水が該冷却室内を循環されられるようにすることによって、かかる冷却水の温度を上昇せしめ、所定温度の温水が形成されるように構成したことを特徴とするコージェネ型薪ストーブ。
【００１１】
（２）  前記熱発電ユニットの複数が前記ストーブ本体の所定部位にそれぞれ取り付けられると共に、それら熱発電ユニットに設けられた前記冷却室が、前記冷却水循環システムに対して直列に接続されて、冷却水がそれら熱発電ユニットのそれぞれの冷却室に順次流通せしめられるように構成して、冷却水の温度が上昇させられ得るようになっている前記態様（１）に記載のコージェネ型薪ストーブ。
【００１２】
（３）  前記熱発電ユニットにおいて発生した起電力を蓄電する蓄電装置が装備され、かかる蓄電装置から外部に所定電圧の電力が供給されるようになっている前記態様（１）又は前記態様（２）に記載のコージェネ型薪ストーブ。
【００１３】
（４）  前記冷却水循環システムが、冷却水循環ポンプを備え、該冷却水循環ポンプが前記熱発電ユニットにおいて発生せしめられる起電力にて駆動されるようになっている前記態様（１）乃至前記態様（３）の何れか１つに記載のコージェネ型薪ストーブ。
【００１４】
（５）  前記冷却水循環システムが、冷却水の循環流路上に貯水タンクを備え、前記冷却室への循環によって温められた冷却水が該貯水タンクに収容されるようになっている一方、該貯水タンクから温水を取り出し得る取出手段が設けられている前記態様（１）乃至前記態様（４）の何れか１つに記載のコージェネ型薪ストーブ。
【００１５】
（６）  前記熱発電ユニットの前記熱電素子における高温部に対して、前記ストーブ本体内に露呈されて、前記薪材の燃焼熱に晒される複数のフィンを一体的に有する吸熱部材が取り付けられている前記態様（１）乃至前記態様（５）の何れか１つに記載のコージェネ型薪ストーブ。
【００１６】
（７）  前記熱発電ユニットが、前記ストーブ本体の天井部の所定部位に少なくとも配設されている前記態様（１）乃至前記態様（６）の何れか１つに記載のコージェネ型薪ストーブ。
【００１７】
（８）  前記熱発電ユニットが、前記ストーブ本体内に設けられた未燃焼ガスの燃焼触媒の上方に位置する天井部位に少なくとも配設されている前記態様（１）乃至前記態様（７）の何れか１つに記載のコージェネ型薪ストーブ。
【００１８】
（９）  前記熱発電ユニットが、前記ストーブ本体に設けられた燃焼ガス排出用の煙突に対して、更に配設されている前記態様（１）乃至前記態様（８）の何れか１つに記載のコージェネ型薪ストーブ。
【考案の効果】
【００１９】
このように、本考案に従うコージェネ型薪ストーブにあっては、ストーブ本来の暖房機能に加えて、高温部と低温部との間の温度差に基づいて起電力を発生する熱電素子にて構成される熱発電ユニットが、伝熱性の良好な鋳鉄鋳物製のストーブ本体に取り付けられて、かかる高温部が、ストーブ本体の燃焼室内での薪材の燃焼によって生じる燃焼熱にて加熱せしめられるようになっているところから、薪材の燃焼熱を有効に利用して、効率的に起電力を生ぜしめ得る機能を発揮させることが出来ることとなるのである。
【００２０】
しかも、そのような熱発電ユニットの熱電素子における低温部には、冷却室が設けられて、かかる低温部が、冷却室内を循環せしめられる冷却水にて冷却されるようになっているところから、低温部が所謂水冷構造により効果的に冷却され得ることとなるのであり、このことからしても、起電力をより一層有利に生じさせることが可能となっている。
【００２１】
そして、本考案にあっては、冷却室に形成された冷却水の流入口と流出口が、冷却水循環システムに接続せしめられて、かかる冷却水循環システムを通じて、冷却水が冷却室内を循環せしめられることにより、熱発電ユニットとの熱交換によって冷却水の温度が効果的に上昇せしめられ得て、所定温度の温水が形成せしめられる機能も発揮されるようになっている。即ち、薪材の燃焼によって生じる燃焼熱が、また、温水の形成にも有効に利用され得ることとなるのであり、以て、薪材の燃焼効率を更に有利に高めることが可能となるのである。
【図面の簡単な説明】
【００２２】
【図１】本考案に従うコージェネ型薪ストーブのシステムの一例を概略的に示す説明図である。
【図２】図１に示されるコージェネ型薪ストーブに用いられる熱発電ユニットを概略的に示す部分断面斜視説明図である。
【図３】図２におけるＡ−Ａ断面拡大説明図である。
【図４】図１に示されるコージェネ型薪ストーブを一部の構成を省略して示す正面説明図である。
【図５】図１に示されるコージェネ型薪ストーブを一部の構成を省略して示す背面説明図である。
【図６】図４におけるＢ−Ｂ断面説明図である。
【図７】図６におけるＣ−Ｃ断面拡大説明図である。
【図８】図６におけるＤ−Ｄ断面拡大説明図である。
【考案を実施するための形態】
【００２３】
以下、本考案を更に具体的に明らかにするために、本考案の実施の形態について、図面を参照しつつ、詳細に説明することとする。
【００２４】
先ず、図１には、本考案に従うコージェネ型薪ストーブの実施形態の一つについて、その構成が、概略的に示されている。そこにおいて、コージェネ型薪ストーブ１０は、鋳鉄鋳物製のストーブ本体１２を備え、かかるストーブ本体１２の所定部位に、複数（ここでは、２つのみ図示）の熱発電ユニット１４が取り付けられている。
【００２５】
ここで、本実施形態において用いられる熱発電ユニット１４は、図２及び図３に示されるように、両端部（図２及び図３における上下方向の両端部、即ち低温部１６ａ、１８ａと高温部１６ｂ、１８ｂとの間）の温度差に基づいて起電力（電位差）を生ずる２種類の熱電素子１６、１８を有しており、具体的には、複数のｐ型熱電素子（ｐ型熱電材料）１６と複数のｎ型熱電素子（ｎ型熱電材料）１８とが交互に配置されたモジュール（ユニット）として、構成されている。
【００２６】
より具体的には、１個のｐ型熱電素子１６とこれに隣接する１個のｎ型熱電素子１８の上部（低温部１６ａ、１８ａ）に、これらの熱電素子１６、１８間を接続する金属板材からなる低温側電極部材２０が配置される一方、１個のｎ型熱電素子１８とこれに隣接する１個のｐ型熱電素子１６の下部（高温部１８ｂ、１６ｂ）に、これらの熱電素子１８、１６間を接続する金属板材からなる高温側電極部材２２が配置されている。即ち、低温側電極部材２０と高温側電極部材２２とが素子１個分だけ横にずれた状態で設けられるようにして、複数のｐ型熱電素子１６と複数のｎ型熱電素子１８とが電気的に直列に接続されているのである。
【００２７】
そして、複数の低温側電極部材２０の上部には、矩形平板形状の低温側基板２４が配置され、複数の低温側電極部材２０が、それぞれ、その上面（各熱電素子１６、１８と接合される面とは反対側の面）において、低温側基板２４に接合されていると共に、複数の高温側電極部材２２の下部には、矩形平板形状の高温側基板２６が配置され、複数の高温側電極部材２２が、それぞれ、その下面（各熱電素子１６、１８と接合される面とは反対側の面）において、高温側基板２６に接合されている。ここで、低温側及び高温側基板２４、２６は、熱伝導性に優れると共に、絶縁性を有する、アルミナや窒化アルミニウム等からなるセラミックス基板で構成されることが好ましい。
【００２８】
このように、低温側及び高温側基板２４、２６にて、複数の低温側及び高温側電極部材２０、２２が支持されると共に、複数の熱電素子１６、１８が挟持されることにより、熱発電ユニット１４が構成されているのである。
【００２９】
図１のコージェネ型薪ストーブにおいては、そのような熱発電ユニット１４の複数が、ストーブ本体１２の所定位置に取り付けられていることにより、各熱発電ユニット１４において、そのストーブ本体１２側部分（高温側基板２６）が加熱せしめられて、起電力が生じるようになっているのである。また、それら複数の熱発電ユニット１４は、互いに直列に接続されて、コージェネ型薪ストーブ１０に装備された蓄電装置２８に接続されている。これにより、複数の熱発電ユニット１４において発生した起電力が蓄電装置２８に蓄電される一方、かかる蓄電装置２８から、後述する冷却水循環ポンプ３０や外部の電力使用装置へ、所定電圧の電力が供給され得るようになっているのである。なお、蓄電装置２８としては、公知の各種の蓄電装置が採用可能であって、例えば、電界コンデンサや鉛蓄電池、リチウムイオン電池等が適宜に選択されて用いられる。
【００３０】
また、複数の熱発電ユニット１４のストーブ本体１２側とは反対側の部分（低温側基板２４）には、それぞれ、冷却ジャケット３２が取り付けられている。この冷却ジャケット３２には、その内部に、冷却水が流通せしめられる冷却室３４が設けられていると共に、冷却水の流入口３６及び流出口３８が形成されている。そして、冷却水の流れ（循環）に対して最上流に位置する流入口３６及び最下流に位置する流出口３８が、冷却水循環システム４０に接続されている。即ち、ここでは、冷却水循環システム４０には、冷却水循環ポンプ３０と貯水タンク４２が備えられており、冷却水の流れに対して上流側に位置する冷却ジャケット（図１における左側の冷却ジャケット）３２の流入口３６が冷却水循環ポンプ３０の吐出部側に接続されると共に、下流側に位置する冷却ジャケット（図１における右側の冷却ジャケット）３２の流出口３８が貯水タンク４２を介して冷却水循環ポンプ３０の吸込部側と接続されている。なお、この冷却水循環ポンプ３０は、ここでは、蓄電装置２８から供給される電力により駆動せしめられるようになっている。
【００３１】
このようにして、冷却水循環システム４０を通じて、冷却水が複数の熱発電ユニット１４のそれぞれの冷却室３４に順次流通せしめられるようにして循環させられるようになっていることにより、各熱発電ユニット１４との熱交換によって、かかる冷却水の温度が上昇せしめられ、所定温度の温水が形成されることとなる。そして、温められた冷却水（温水）が貯水タンク４２に収容されるようになっている一方、貯水タンク４２には、温水を取り出し得る取出手段（図示せず）が設けられており、所定温度の温水が外部に供給されることとなる。なお、冷却水の枯渇を防止するために、貯水タンク４２に対しては、取り出された温水と同量の冷却水が外部から補給されるようになっている。
【００３２】
ところで、本実施形態に係るコージェネ型薪ストーブ１０の、更に具体的な構造が、図４乃至図６に示されている。それらの図において、ストーブ本体１２は、前面部位（図６において左側部位）を構成する開口部４４を有する矩形枠体形状の前壁４６と、背面部位（図６において右側部位）を構成する後壁４８と、側面部位を構成する、左側壁５０及びこの左側壁５０と対向して配置される右側壁５２（図６においては図示せず）とが一体となって形成された、前面部分が大きく開口した矩形筒形状を呈する鋳鉄鋳物製のストーブ本体胴部５４を有している。
【００３３】
なお、ストーブ本体１２において、その前面部位には、図６から明らかな如く、前壁４６の左側部位に、開口扉５６が、蝶番５８、５８を介して、開閉自在に取り付けられている。この開口扉５６は、図４に示されるレバー６０を操作することによって開閉することが出来、開口扉５６が閉じられた状態において、前壁４６の開口部４４が閉塞される。なお、開口扉５６には、耐熱性のガラス等からなる、透明な覗窓６２が配設されており、外部からストーブ本体１２の内部が視認出来るようになっている。また、ストーブ本体１２の右側面部位には、蝶番６４、６４（図５参照）を介して回動可能とされた作業扉６６が設けられており、開閉レバー６８を操作することによって、作業扉６６を回動させて、右側壁５２に設けられた薪材補充口（図示せず）を開放することが出来るようになっている。これにより、ストーブ本体１２においては、前壁４６に設けられた開口部４４のみならず、かかる薪材補充口を通じても、薪材の補充等の作業を行なうことが出来るようになっている。
【００３４】
また、ストーブ本体胴部５４上には、図６に示される如く、ストーブ本体１２の天井面部位（図において上側部位）を構成する天井壁７０が載置されて、固設されると共に、そのようなストーブ本体胴部５４が、ストーブ本体１２の底面部位（図において下側部位）を構成する矩形平板状の底壁７２上に、固設せしめられている。このようにして、ストーブ本体１２は、全体としてボックス形状乃至矩形箱形形状を呈し、その内部に、前壁４６（及び開口扉５６）、後壁４８、左側壁５０、右側壁５２（及び作業扉６６）、天井壁７０並びに底壁７２によって囲まれる内部空間７４が、形成されることとなるのである。
【００３５】
さらに、ストーブ本体１２には、その上面（天井壁部位）の意匠性を高めるべく、天井壁７０の上部に天蓋板７６が配設されていると共に、かかるストーブ本体１２は、底壁７２の下部に配設された四つの脚７８、７８、７８、７８によって支持されるようになっている。また、このストーブ本体１２の上部には、燃焼ガスを排出するための煙突８０が設けられており、後壁４８の中央上部部位に連結された円筒形状の排気口８２によって、ストーブ本体１２と煙突８０とが連通せしめられている。
【００３６】
更にまた、図６に示されるように、そのようなストーブ本体１２の内部空間７４には、かかるストーブ本体１２の内部空間７４を二つに仕切るようにして、第一の仕切板８４及び第二の仕切板８６が配設されている。ここで、第一の仕切板８４は、ストーブ本体１２の内部空間７４内において略水平方向全面に延びると共に、その前後端部において、ストーブ本体胴部５４から突出する取付部８８、９０に、ボルトにて固定されている。また、第一の仕切板８４には、円筒形状を呈し、且つ下端部に円環形状の燃焼触媒載置フランジ９２が形成された燃焼触媒載置部９４が２つ（図６においては１つのみ示す）設けられており、それぞれに、未燃焼ガスの燃焼触媒９６が載置されている（図７参照）。なお、この燃焼触媒９６としては、公知のものが適宜に用いられ、例えばメタルハニカムに白金、パラジウム等の貴金属やそれらの硝酸塩、塩化物等を担持させたものが、用いられることとなる。そして、このような貴金属等の触媒作用により、２５０〜３５０℃の比較的低温にて、未燃焼ガス（有機成分）を燃焼（酸化分解）させることが出来るようになっているのである。
【００３７】
加えて、第一の仕切板８４の下方に所定距離を隔てた位置には、第二の仕切板８６が、ストーブ本体１２の内部空間７４内において、略水平方向の全面に延びると共に、その前後端部において、ストーブ本体胴部５４から突出する取付部８８、９８にボルト固定及び載置されて、配設されている。また、第二の仕切板８６の前側部分には、長手矩形孔形状の二次空気吹出口１００が形成され、更に第二の仕切板８６の、上記した燃焼触媒載置部９４、９４に対応する部分には、かかる燃焼触媒載置部９４と略同等の径を有する円孔１０２、１０２が設けられて、それら円孔１０２、１０２に、第一の仕切板８４の燃焼触媒載置部９４、９４が嵌め込まれるようになっている（図７参照）。これによって、第一の仕切板８４と第二の仕切板８６との間に形成される空間が二次空気通路１０４とされ、ストーブ本体１２（ストーブ本体胴部５４）の後壁４８に設けられた二次空気導入口１０６に連通せしめられると共に、二次空気吹出口１００を通じて、ストーブ本体１２の内部空間７４に連通せしめられることとなる。
【００３８】
このように、第一及び第二の仕切板８４、８６によって、ストーブ本体１２の内部空間７４が、下側燃焼室１０８と上側燃焼室１１０とに仕切られているのであり、ここでは、下側燃焼室１０８と上側燃焼室１１０とが、燃焼触媒９６、９６を通じて連通せしめられている。
【００３９】
なお、図６に示されるように、下側燃焼室１０８内においては、第二の仕切壁８６より下方に所定の間隔を隔てて、ストーブ本体１２の背面側から前面側に向かって延出するように、邪魔板１１２が配設されている。かかる邪魔板１１２は、ステンレス等の金属製の板材からなり、平面視で長手矩形形状を呈すると共に、前端部、左右側端部及び後端部が垂直方向上方に折り曲げられており、そのような左右側端部において、ストーブ本体１２（ストーブ本体胴部５４）にボルトで固定されている。この邪魔板１１２によって、燃焼触媒９６、９６が、下側燃焼室１０８内において生じる火炎から遮蔽されることとなるところから、燃焼触媒９６の劣化が有利に抑制乃至は回避され、その耐久性が向上せしめられ得ると共に、後述するように、下側燃焼室１０８内で生じた一次燃焼ガスが、直接、燃焼触媒９６に導入されてしまうのを防止し得るようになっているのである。
【００４０】
ここで、かくの如き構造を有するストーブ本体１２における燃焼形態について、簡潔に説明するならば、以下の如くなる。即ち、先ず、下側燃焼室１０８内において、底壁７２上に配設された耐熱性の鋳鉄等からなるゲタ形状の薪材載置板１１４上に載置された薪材１１６に点火すると、前壁４６の下側部位に設けられた一次空気導入孔１１８を通じて外部から一次空気が供給されることにより、薪材１１６の一次燃焼が行なわれる。ここで、かかる一次燃焼においては、空気が不足していることにより、薪材１１６の一部の不完全燃焼が惹起され、未燃焼ガスを含む一次燃焼ガスが発生する。
【００４１】
そして、そのような一次燃焼ガスは、下側燃焼室１０８の上部に移動すると共に、第二の仕切板８６の前側部分に設けられた二次空気吹出口１００から供給される二次空気と接触・混合せしめられることによって、かかる一次燃焼ガスに含まれる未燃焼ガスの二次燃焼が、行なわれるのである。
【００４２】
次いで、そのような二次燃焼の後、なお残存する未燃焼ガスや二次空気を含む二次燃焼ガスは、邪魔板１１２と第二の仕切板８６との間に形成された隙間から、第一の仕切板８４に設けられた燃焼触媒配置部９４、９４に配設せしめられた燃焼触媒９６、９６を通じて、上側燃焼室１１０に導かれることとなる。その際、燃焼触媒９６、９６によって、未燃焼ガスを含む二次燃焼ガスが、更に、三次燃焼せしめられて、未燃焼ガスが可及的に完全燃焼せしめられるようになるのである。そして、上側燃焼室１１０が、前記した排気口８２を介して煙突８０と連通せしめられていることにより、燃焼ガスが、最終的に外部に排出されるようになっている。なお、本実施形態において、薪材１１６の燃焼熱とは、一次燃焼によって生じる熱のみでなく、二次乃至は三次燃焼によって生じる熱をも含むものである。
【００４３】
そして、本実施形態にあっては、このような内部空間７４（下側燃焼室１０８及び上側燃焼室１１０）内において、薪材１１６の燃焼による燃焼熱が発生せしめられるストーブ本体１２に対して、図４及び図５に示されるように、熱発電ユニット１４と冷却ジャケット３２と吸熱部材（後に詳述）１２０とが一体的に組み付けられて構成されたコージェネモジュール１２２の複数（ここでは、９つ）が、所定位置において取り付けられているのである。即ち、ここでは、複数のコージェネモジュール１２２Ａ〜１２２Ｉが、ストーブ本体１２の底壁７２に２つ（１２２Ａ、１２２Ｂ）、左側壁５０に１つ（１２２Ｃ）、後壁４８に２つ（１２２Ｄ、１２２Ｅ）、右側壁５２に１つ（１２２Ｆ）、天井壁７０に２つ（１２２Ｇ、１２２Ｈ）、煙突８０に１つ（１２２Ｉ）取り付けられている。なお、以下、各部材を示す符号に付した末尾のＡ〜Ｉは、コージェネモジュール１２２Ａ〜１２２Ｉに対応する部材であることを示すものとする。
【００４４】
また、ここでは、それらコージェネモジュール１２２Ａ〜１２２Ｉを構成する熱発電ユニット１４Ａ〜１４Ｉが、互いに直列に接続される（配線は省略）と共に、両端部の熱発電ユニット（図５における熱発電ユニット１４Ａ及び熱発電ユニット１４Ｉ）が、蓄電装置（２８）に接続されている（図１参照）。
【００４５】
さらに、それらコージェネモジュール１２２Ａ〜１２２Ｉを構成する冷却ジャケット３２Ａ〜３２Ｉも、ステンレス製の冷却水循環配管１２４を介して、互いに直列に接続されている。即ち、冷却ジャケット３２Ａの流出口３８と冷却ジャケット３２Ｂの流入口３６とが、冷却水循環配管１２４を介して接続されており、以降、順に冷却ジャケット３２Ｂ〜３２Ｈの各流出口３８が、冷却ジャケット３２Ｃ〜３２Ｉの流入口３６に接続されているのである。また、冷却ジャケット３２Ａの流入口３６が、図１に示される如く、冷却水循環ポンプ３０に接続される一方、冷却ジャケット３２Ｉの流出口３８が、図１に示される如く、貯水タンク４２に接続されている。このようにして、冷却水の流れに対して最上流に位置する流入口３６と最下流に位置する流出口３８が、冷却水循環システム４０に接続されているのである。なお、各冷却水循環配管１２４は、ここでは、可撓性を有する波状管（蛇腹管）にて構成されており、これによって任意の方向に曲げることが出来るようになっている。
【００４６】
ここにおいて、かかるストーブ本体１２に取り付けられたコージェネモジュール１２２の構造について、更に具体的に説明するならば、図７に示されるように、ストーブ本体１２の周壁である天井壁７０に取り付けられているコージェネモジュール１２２Ｇは、金属製の吸熱部材１２０Ｇを備えており、かかる吸熱部材１２０Ｇは、矩形厚板形状を呈する厚板部１２６と、その周縁部から外方に向かって延びる所定幅を有する取付フランジ部１２８とを有している。そして、かかる厚板部１２６のストーブ本体１２の内部空間７４側の面（図７における下面）には、複数のフィン１３０が、ストーブ本体１２の内部空間７４に向かって所定高さで延びるようにして、一体的に形成されている。
【００４７】
また、ストーブ本体１２の天井壁７０には、厚板部１２６の外形形状と同等乃至はそれより僅かに大きい内周面形状を有する矩形孔形状の貫通孔１３２が形成されており、そこに、吸熱部材１２０Ｇの厚板部１２６が嵌め込まれると共に、天井壁７０の上面に取付フランジ部１２８が取り付けられている。なお、天蓋板７６のコージェネモジュール１２２Ｇの配設位置に対応する部分には、かかるコージェネモジュール１２２Ｇを構成する吸熱部材１２０Ｇ（取付フランジ部１２８）の外形形状より大きい孔１３４が形成されており、天蓋板７６と吸熱部材１２０Ｇとが干渉しないようになっている。このようにして、吸熱部材１２０（１２０Ｇ）は、そこに一体的に形成された複数のフィン１３０が、ストーブ本体１２の内部空間７４内に露呈され、薪材１１６の燃焼熱に晒されるような状態で、ストーブ本体１２に取り付けられているのである。
【００４８】
そして、吸熱部材１２０（１２０Ｇ）のストーブ本体１２の外部側の面（図７における上面）上には、熱発電ユニット１４（１４Ｇ）が、高温側基板２６が吸熱部材１２０（１２０Ｇ）側になるようにして配置されており、更に、かかる熱発電ユニット１４（１４Ｇ）の上部（低温側基板２４）に、冷却ジャケット３２（３２Ｇ）が配設されているのである。
【００４９】
ところで、冷却ジャケット３２（３２Ｇ）は、図７に示される如く、金属薄板からなる矩形扁平箱体形状を呈し、その内部空間が冷却水が流通せしめられる冷却室３４とされている。更に、短円筒形状の流入口３６及び流出口３８が冷却室３４内に連通するように立設されており、その外周面が雄ネジ部１３６とされている。ここで、それら流入口３６及び流出口３８に接続される各冷却水循環配管１２４の端部には、フランジ部１３８が形成されており、雄ネジ部１３６に袋ナット１４０が締め付けられることにより、流入口３６及び流出口３８と各冷却水循環配管１２４との間のシール性が確保されている。かくして、冷却水は、流入口３６を通じて冷却室３４内に導入されると共に、流出口３８を通じて冷却室３４から排出されるようにして、冷却室３４内を流通せしめられることとなる。これにより、比較的薄い冷却室３４の壁面を介して、冷却水と熱発電ユニット１４（１４Ｇ）との間の熱交換が、行なわれるようになるのである。
【００５０】
なお、ストーブ本体１２の天井面部位（天井壁７０）には、コージェネモジュール１２２Ｇと同様の構造を有するコージェネモジュール１２２Ｈが取り付けられており、それら天井壁７０に取り付けられた二つのコージェネモジュール１２２Ｇ、１２２Ｈは、ストーブ本体１２の内部空間７４内において第一の仕切板８４に載置された、二つの燃焼触媒９６、９６の直上の対応する位置に、それぞれ、配設されるようになっている。
【００５１】
また、図４乃至図６から明らかなように、他のコージェネモジュール１２２Ａ〜１２２Ｆは、前記したコージェネモジュール１２２Ｇ及び１２２Ｈに対して、ストーブ本体１２の各壁面部位への取り付け形態において若干の相違があるものの、それ以外の基本的な構造については略同様とされている。それ故、本実施形態のコージェネモジュール１２２Ａ〜１２２Ｆに関しては、詳細な説明を省略することとし、図４乃至図６に示されている部位及び部材についても、先に詳述したコージェネモジュール１２２Ｇ及び１２２Ｈと同様な構造の部分には、同一の符号を付して、その詳細な説明は省略することとする。
【００５２】
さらに、本実施形態においては、ストーブ本体１２の上部に設けられた燃焼ガス排出用の煙突８０に対しても、コージェネモジュール１２２Ｉが配設されている。このコージェネモジュール１２２Ｉにおいても、基本的な構造は、前記したコージェネモジュール１２２Ａ〜１２２Ｈと略同様とされているのであるが、図８に示されるように、ここでは、吸熱部材１２０Ｉ（厚板部１２６）が、全体として煙突８０の壁面に沿った湾曲板形態とされて、煙突８０の壁面に形成された貫通孔１３２に嵌め込まれている。そして、そのように湾曲板形態を呈する厚板部１２６から、複数のフィン１３０が、煙突８０内に向かって延びるように一体的に形成されることにより、かかる複数のフィン１３０が、煙突８０内に露呈され、煙突８０を通じて排出される燃焼ガスに晒されるようにされると共に、煙突８０の内周面の断面積が縮小されることなく、確保されているのである。
【００５３】
なお、かかるコージェネモジュール１２２Ｉにあっては、冷却ジャケット３２Ｉの熱発電ユニット１４Ｉと接する壁面部位が、吸熱部材１２０Ｉに沿った形態で湾曲せしめられており、熱発電ユニット１４Ｉが、吸熱部材１２０Ｉと冷却ジャケット３２Ｉとの間で、湾曲せしめられた形態にて挟持されている。そして、冷却ジャケット３２Ｉの両側面（図８における上下側面）には、第一の取付板１４２、１４２がボルトにて取り付けられる一方、煙突８０の外周面の一部（図８における左側半周部）には、断面Ｕ字形状の第二の取付板１４４が、断熱材１４６を介して、配置されており、それら第一及び第二の取付板１４２、１４４の対向部位に形成されたフランジ部にて、ボルト及びナットにて連結されて、コージェネモジュール１２２Ｉが、煙突８０の所定位置に固設されている。
【００５４】
以上の説明から明らかなように、本実施形態では、ストーブ本来の暖房機能に加えて、高温部１６ｂ、１８ｂと低温部１６ａ、１８ａとの間の温度差に基づいて起電力を発生する熱電素子１６、１８にて構成される熱発電ユニット１４が、吸熱部材１２０を介して、伝熱性の良好な鋳鉄鋳物製のストーブ本体に取り付けられて、かかる高温部１６ｂ、１８ｂが、ストーブ本体１２の内部空間７４（下側燃焼室１０８及び上側燃焼室１１０）内での薪材１１６の燃焼によって生じる燃焼熱にて、効果的に加熱せしめられるようになっているところから、薪材１１６の燃焼熱を有効に利用して、効率的に起電力を生ぜしめ得る機能を発揮させることが出来ることとなるのである。
【００５５】
また、ここでは、吸熱部材１２０（厚板部１２６）のストーブ本体１２の内部空間７４側の面から、複数のフィン１３０が、ストーブ本体１２の内部空間７４に向かって延びるようにして一体的に形成されているところから、吸熱部材１２０におけるストーブ本体１２の内部空間７４に晒される表面積が、効果的に大きくされている。このため、薪材１１６の燃焼熱を有利に吸収して、熱発電ユニット１４の高温側基板２６（熱電素子１６、１８の高温部１６ｂ、１８ｂ）を効率的に加熱することが可能となり、以て、起電力をより有利に生じさせることが可能となっているのである。
【００５６】
しかも、そのような熱発電ユニット１４の低温側基板２４（熱電素子１６、１８における低温部１６ａ、１８ａ）に対して、冷却ジャケット３２が取り付けられて、かかる低温側基板２４（低温部１６ａ、１８ａ）が、冷却ジャケット３２の冷却室３４内を循環せしめられる冷却水にて冷却されるようになっており、これによって、低温部１６ａ、１８ａが、所謂水冷構造により効果的に冷却され得ることとなるのであり、このことからしても、起電力をより一層有利に生じさせることが可能となっている。
【００５７】
さらに、各熱発電ユニット１４Ａ〜１４Ｉにおいて発生した起電力が、ここでは、一旦、蓄電装置２８に蓄えられ、かかる蓄電装置２８から、冷却水循環ポンプ３０やコージェネ型薪ストーブ１０外の電気機器に所定の電圧の電力が供給され得るようになっているところから、それら熱発電ユニット１４Ａ〜１４Ｉの発電状況によって、出力される電力が変動してしまうということが、有利に阻止され得ることとなる。
【００５８】
そして、本実施形態にあっては、冷却ジャケット３２Ａに形成された冷却水の流入口３６と、冷却ジャケット３２Ｉに形成された冷却水の流出口３８が、冷却水循環システム４０に接続せしめられて、かかる冷却水循環システム４０を通じて、冷却水が各冷却ジャケット３２Ａ〜３２Ｉの冷却室３４内を循環せしめられるようになっており、これにより、各熱発電ユニット１４Ａ〜１４Ｉとの熱交換によって冷却水の温度が効果的に上昇せしめられ得て、所定温度の温水が形成せしめられる機能も発揮されるようになっている。即ち、薪材１１６の燃焼によって生じる燃焼熱が、また、温水の形成にも有効に利用され得ることとなるのであり、以て、薪材１１６の燃焼効率を更に有利に高めることが可能となるのである。
【００５９】
なお、それら冷却ジャケット３２Ａ〜３２Ｉは、ここでは、冷却水循環システム４０に対して直列に接続されて、冷却水が各冷却室３４に順次流通せしめられるように構成されているところから、冷却水の温度が効率的に上昇させられ得るようになっており、温水をより有利に形成することが出来るようになっている。
【００６０】
また、本実施形態の如く、冷却水循環ポンプ３０が、蓄電装置２８からの電力、即ち各熱発電ユニット１４Ａ〜１４Ｉにおいて発生せしめられ、取り出された起電力によって駆動せしめられるようにすることによって、コージェネ型薪ストーブ１０全体を、外部から電力を供給することなく、駆動せしめることが可能となるのであり、以て、災害時等において、電力やガス等の供給が停止してしまった場合でも、暖房機能のみに止まらない多機能を発揮する機器として、使用することが出来るのである。
【００６１】
ここで、本実施形態においては、２つのコージェネモジュール１２２Ｇ、１２２Ｈが、ストーブ本体１２の天井壁７０に取り付けられており、更に、それらコージェネモジュール１２２Ｇ、１２２Ｈが、ストーブ本体１２の内部空間７４に設けられた未燃焼ガスの燃焼触媒９６、９６の上方に、それぞれ配置されているが、このような配設形態の採用によって、燃焼触媒９６、９６にて三次燃焼せしめられた燃焼ガスの熱により、熱発電ユニット１４Ｇ、１４Ｈの各高温側基板２６（熱電素子１６、１８の高温部１６ｂ、１８ｂ）を有利に加熱することが出来ると共に、そのような熱発電ユニット１４Ｇ、１４Ｈとの熱交換により、冷却ジャケット３２Ｇ、３２Ｈ内を流通せしめられる冷却水を有利に加熱することが可能となり、以て、薪材１１６の燃焼効率をより一層有利に高めることが可能となるのである。
【００６２】
さらに、ストーブ本体１２の上部に設けられた煙突８０に対しても、コージェネモジュール１２２Ｉが配設されているところから、従来は廃棄されるのみであった煙突８０内の燃焼ガスの熱エネルギを有効に利用することが出来ることとなる。また、本実施形態においては、吸熱部材１２０Ｉに一体的に形成された複数のフィン１３０が、煙突８０の内周面の断面積を極端に縮小することがないような形態にて設けられているところから、コージェネモジュール１２２Ｉの配設により自然なドラフト（燃焼ガスの流れ）が妨げられることが、有利に防止されている。
【００６３】
なお、本実施形態においては、冷却水が、冷却ジャケット３２Ａ〜３２Ｉの順に循環（流通）せしめられるようになっているところから、前記したように、比較的高温となるストーブ本体１２の天井面部位（天井壁７０）に配設された冷却ジャケット３２Ｇ、３２Ｈが、冷却水の流れに対して比較的下流側とされている。このため、かかる冷却ジャケット３２Ｇ、３２Ｈよりも上流側に位置する冷却ジャケット３２Ａ〜３２Ｆにおいて、熱発電ユニット１４Ａ〜１４Ｆの冷却を有利に行なうことが出来る。
【００６４】
以上、本考案の具体的な構成について詳述してきたが、それは、あくまでも例示に過ぎないものであって、本考案は、上記した記載によって、何等の制約をも受けるものではないことが理解されるべきである。
【００６５】
例えば、熱発電ユニット１４は、例示の如き吸熱部材１２０を介することなく、ストーブ本体１２の所定位置に直接に取り付けられていても何等差支えない。即ち、ストーブ本体１２の壁面部位に貫通孔１３２を形成することなく、熱発電ユニット１４をストーブ本体１２の外側壁面に直接に取り付けるようにしてもよいのである。この場合であっても、ストーブ本体１２が伝熱性の良好な鋳鉄鋳物製であるところから、熱電素子１６、１８の高温部１６ｂ、１８ｂが有利に加熱され、起電力が効率的に生ぜしめられることとなる。なお、ここで、熱発電ユニット１４の取付部位に対応するストーブ本体１２の内壁面部位に、複数のフィンを有する吸熱部材を別途取り付けることで、かかるストーブ本体１２の壁面部位において有利に薪材１１６の燃焼熱を吸収し、熱発電ユニット１４を効果的に加熱することも可能である。
【００６６】
また、熱発電ユニット１４は、例示の形態に何等限定されるものではなく、例えば、ｐ型熱電素子１６又はｎ型熱電素子１８の何れか一方を複数用いて構成することも可能であり、更に、ｐ型熱電素子１６又はｎ型熱電素子１８の何れか一方を単体で用いて構成することも可能である。なお、一の熱発電ユニット１４において、ｐ型熱電素子１６及びｎ型熱電素子１８の複数を前記した実施形態の如く配置することで、それらを直列に接続することが出来、有利に電圧を高めることが出来る。
【００６７】
そして、温水の取り出しについて、ここでは、例えば、貯水タンク４２内に、冷却水の温度を検知する温度センサが設置されて、かかる温度センサの出力情報に基づいて、新たな冷却水と入れ替えられるようにして、貯水タンク４２から温水が取り出されるようになっている。一方、貯水タンク４２内に冷却水が流通せしめられる配管を配置すると共に、温水形成用の水を別途収容して、冷却室３４内を循環させられることによって加熱された冷却水との熱交換を行なって、温水を形成することも可能である。
【００６８】
また、例示せる如き、熱発電ユニット１４及び冷却ジャケット３２（冷却室３４）を備えるコージェネモジュール１２２は、ストーブ本体１２に対して少なくとも１つ設けられておればよく、それによって、薪材１１６の燃焼熱を暖房用途のみならず、発電及び給湯にも有利に利用することが出来ることとなる。
【００６９】
また、複数のコージェネモジュール１２２Ａ〜１２２Ｉ（熱発電ユニット１４Ａ〜１４Ｉ及び冷却ジャケット３２Ａ〜３２Ｉの各冷却室３４）の接続順は、例示の順番に限られるものではない。更に、冷却ジャケット３２Ａ〜３２Ｉの各冷却室３４は、必ずしも直列に接続される必要はなく、例えば、冷却水循環ポンプ３０の吐出口の直後において配管を分岐させ、冷却ジャケット３２Ａ〜３２Ｉの各冷却室３４を、それぞれ、並列に接続することも可能である。
【００７０】
その他、一々列挙はしないが、本考案は、当業者の知識に基づいて種々なる変更、修正、改良等を加えた態様において実施され得るものである。また、そのような実施態様が、本考案の趣旨を逸脱しない限り、何れも、本考案の範囲内に含まれるものであることは、言うまでもないところである。
【符号の説明】
【００７１】
１０    コージェネ型薪ストーブ        １２    ストーブ本体
１４    熱発電ユニット                １６、１８  熱電素子
１６ａ、１８ａ  低温部                １６ｂ、１８ｂ  高温部
２８    蓄電装置                      ３０    冷却水循環ポンプ
３２    冷却ジャケット                ３４    冷却室
３６    流入口                        ３８    流出口
４０    冷却水循環システム            ４２    貯水タンク
７０    天井壁                        ７４    内部空間
８０    煙突                          ８４    第一の仕切板
８６    第二の仕切板                  ９６    燃焼触媒
１０８  下側燃焼室                    １１０  上側燃焼室
１１６  薪材                          １２０  吸熱部材
１２２  コージェネモジュール          １３０  フィン
【図１】
0003190969.tif 000003
【図２】
0003190969.tif 000004
【図３】
0003190969.tif 000005
【図４】
0003190969.tif 000006
【図５】
0003190969.tif 000007
【図６】
0003190969.tif 000008
【図７】
0003190969.tif 000009
【図８】
0003190969.tif 000010